(57)【特許請求の範囲】
【請求項１】
複数レベルの換気量に対して別個に割当てられた電源入力部のいずれかに２端子出力の電源の出力電圧が入力されたときに、該電源入力部に割当てられたレベルの換気量で換気を行なう換気装置と接続可能な第１の換気装置接続手段と、
使用者の操作に応じて前記換気装置の運転／停止を指示する運転スイッチと、使用者の操作に応じて前記換気装置の換気量を前記複数レベルの中から選択する換気量選択スイッチと、該運転スイッチの運転／停止指示に応じてそれぞれ消灯／点灯するランプとを有する操作スイッチと接続可能な操作スイッチ接続手段と、
所定の空調運転条件に応じて、前記換気装置を前記複数レベルの換気量のうちのいずれで作動させるかを決定する空調制御手段とを備えた空調装置であって、
前記操作スイッチにおいて、前記運転スイッチは運転／停止指示に応じて端子間がそれぞれ導通／遮断される２端子スイッチであり、前記換気量選択スイッチは共通端子と前記複数レベルの換気量が別個に割当てられた選択端子とを有して、選択されたレベルの換気量が割当てられた選択端子と前記共通端子間のみが導通状態となる選択スイッチであり、前記ランプは前記運転スイッチと並列に接続され、前記運転スイッチの第１の端子が前記換気量選択スイッチの共通端子と接続され、
前記操作スイッチ接続手段は、前記操作スイッチと接続されたときに、前記運転スイッチの第２の端子を前記電源の一方の出力端子に導通し、前記換気量選択スイッチの各選択端子を電流検出手段を介して前記電源の他の出力端子に導通し、
前記第１の換気装置接続手段は、前記換気装置と接続されたときに、前記複数レベルの各換気量について、前記各電流検出手段の検出結果から前記換気量選択スイッチにより該換気量が選択されたことが検知されたとき、又は前記空調制御手段により前記換気装置を該換気量で作動させることが決定されたときに、前記換気装置の該換気量に割当てられた電源入力部に前記電源の出力電圧を入力することを特徴とする空調装置。
【請求項２】
複数レベルの換気量に対して別個に割当てられた電源入力部のいずれかに２端子出力の電源の出力電圧が入力されたときに、該電源入力部に割当てられたレベルの換気量で換気を行なう換気装置と接続可能な第１の換気装置接続手段と、
使用者の操作に応じて前記換気装置の運転／停止を指示する運転スイッチと、使用者の操作に応じて前記換気装置の換気量を前記複数レベルの中から選択する換気量選択スイッチと、該運転スイッチの運転／停止指示に応じてそれぞれ点灯／消灯するランプとを有する操作スイッチと接続可能な操作スイッチ接続手段と、
所定の空調運転条件に応じて、前記換気装置を前記複数レベルの換気量のうちのいずれで作動させるかを決定する空調制御手段とを備えた空調装置であって、前記操作スイッチにおいて、前記運転スイッチは運転／停止指示に応じて端子間がそれぞれ導通／遮断される２端子スイッチであり、前記換気量選択スイッチは共通端子と前記複数レベルの換気量が別個に割当てられた選択端子とを有して、選択されたレベルの換気量が割当てられた選択端子と前記共通端子間のみが導通状態となる選択スイッチであり、前記運転スイッチの第１の端子が前記換気量選択スイッチの共通端子と接続され、前記ランプの第１の端子が前記運転スイッチの第２の端子に接続され、
前記操作スイッチ接続手段は、前記操作スイッチと接続されたときに、前記ランプの第２の端子を前記電源の一方の出力端子に導通し、前記換気量選択スイッチの各選択端子を電流検出手段を介して前記電源の他の出力端子に導通し、
前記第１の換気装置接続手段は、前記換気装置と接続されたときに、前記複数レベルの各換気量について、前記各電流検出手段の検出結果から前記換気量選択スイッチにより該換気量が選択されたことが検知されたとき、又は前記空調制御手段により前記換気装置を該換気量で作動させることが決定されたときに、前記換気装置の該換気量に割当てられた電源入力部に前記電源の出力電圧を入力することを特徴とする空調装置。
【請求項３】
前記第１の換気装置接続手段は、前記電流検出手段の検出結果から前記複数レベルの換気量のうちのいずれかが選択されたことを検知したときに、該換気量が割当てられた前記換気量選択スイッチの選択端子と、前記電源の前記電流検出手段と導通された側の出力端子とを介して、前記換気装置の該換気量に割当てられた前記電源入力部に前記電源の出力電圧を入力することを特徴とする請求項２記載の空調装置。
【請求項４】
複数レベルの換気量に対して別個に割当てられた電源入力部のいずれかに２端子出力の電源の出力電圧が入力されたときに、該電源入力部に割当てられたレベルの換気量で換気を行なう換気装置と接続可能な第１の換気装置接続手段と、
使用者の操作に応じて前記換気装置の運転／停止を指示する運転スイッチと、使用者の操作に応じて前記換気装置の換気量を前記複数レベルの中から選択する換気量選択スイッチと、該運転スイッチの運転／停止指示に応じてそれぞれ点灯／消灯するランプとを有する操作スイッチと接続可能な操作スイッチ接続手段と、
所定の空調運転条件に応じて、前記換気装置を前記複数レベルの換気量のうちのいずれで作動させるかを決定する空調制御手段とを備えた空調装置であって、前記操作スイッチにおいて、前記運転スイッチは運転／停止指示に応じて端子間がそれぞれ導通／遮断される２端子スイッチであり、前記換気量選択スイッチは共通端子と前記複数レベルの換気量が別個に割当てられた選択端子とを有して、選択されたレベルの換気量が割当てられた選択端子と前記共通端子間のみが導通状態となる選択スイッチであり、前記ランプの第１の端子が前記運転スイッチの第１の端子と前記換気量選択スイッチの共通端子とに接続され、
前記操作スイッチ接続手段は、前記操作スイッチと接続されたときに、前記運転スイッチの第２の端子を前記電源の一方の出力端子に導通し、前記換気量選択スイッチの各選択端子を電流検出手段を介して前記電源の他の出力端子に導通し、前記ランプの第２の端子を前記電源の他方の出力端子に導通し、
前記第１の換気装置接続手段は、前記換気装置と接続されたときに、前記複数レベルの各換気量について、前記各電流検出手段の検出結果から前記換気量選択スイッチにより該換気量が選択されたことが検知されたとき、又は前記空調制御手段により前記換気装置を該換気量で作動させることが決定されたときに、前記換気装置の該換気量に割当てられた電源入力部に前記電源の出力電圧を入力することを特徴とする空調装置。
【請求項５】
電源入力部に前記電源の出力電圧が入力されたときに所定の換気量で換気を行なう換気量固定の換気装置と接続可能であって、該換気量固定の換気装置と接続された状態で、前記各電流検出手段の検出結果から前記複数レベルの換気量のうちのいずれかが選択されたことが検知されたとき、又は前記空調制御手段により前記換気装置を前記複数レベルの換気量のうちのいずれかで作動させることが決定されたときに、該換気量固定の換気装置の電源入力部に前記電源の出力電圧を入力する第２の換気装置接続手段を備えたことを特徴とする請求項１から請求項４のうちいずれか１項記載の空調装置。
【発明の詳細な説明】
【０００１】
【発明の属する技術分野】
本発明は、操作スイッチ及び換気装置と接続され、該操作スイッチの操作状態及び空調運転の設定条件に応じて該換気装置の作動を制御する空調装置に関する。
【０００２】
【従来の技術】
従来より、浴室や脱衣所、トイレ等に設けられた換気口とそれぞれ接続されたダクトを集合ダクトに連通し、該集合ダクト内に設けられた１台の換気ファンを作動させることにより各換気口を介して換気を行なうようにしたシステムが知られている。そして、浴室やトイレには、前記換気ファンの作動と停止を指示するための操作スイッチが設けられている。
【０００３】
また、近年、浴室の暖房や乾燥を行なう浴室暖房装置が普及してきているが、該浴室暖房装置により乾燥を行なう場合には、浴室内の空気を排気する必要がある。そこで、乾燥運転を行うときに、前記換気ファンを連動して作動させることによって、浴室内の湿潤な空気を浴室の換気口から前記集合ダクトを介して排気するようにした浴室暖房装置が知られている。
【０００４】
そして、このように、１台の換気ファンに対して操作スイッチと浴室暖房装置の双方から作動と停止の指示を与える場合の配線工事を容易にするため、浴室暖房装置に操作スイッチ及び換気ファンとの接続部を設けて、浴室暖房装置を介して換気ファンに電源を供給するようにした換気システムが提案されている。かかる換気システムによれば、浴室暖房装置は、操作スイッチの操作状態及び乾燥運転の実行に応じて換気ファンに電源を供給して換気ファンを作動させることができる。
【０００５】
しかし、最近では、換気量の変更が可能な換気ファンが普及してきており、それに応じて、操作スイッチにも換気量を選択する機能を備えたものが採用されている。さらに、換気ファンの作動状態を使用者に認識させ易くするため、例えば操作スイッチが運転指示状態にあるときに点灯し停止指示状態にあるときに消灯するランプを備えた操作スイッチも普及している
そのため、単に操作スイッチの操作に応じて換気ファンを作動させるだけではなく、換気量の切換えが可能な換気ファンと、換気量を選択する機能及び換気ファンの作動状態を表示するランプを備えた操作スイッチとの接続に対応した空調装置に対するニーズが高まっている。
【０００６】
【発明が解決しようとする課題】
本発明は、上記背景を鑑みてなされたものであり、換気量の選択機能と換気装置の作動状態を表示するランプとを有する操作スイッチ、及び換気量の変更が可能な換気装置と接続可能であって、操作スイッチの操作に応じて換気装置の換気量を変更することができる空調装置を提供することを目的とする。
【０００７】
【課題を解決するための手段】
本発明は上記目的を達成するためになされたものであり、複数レベルの換気量に対して別個に割当てられた電源入力部のいずれかに２端子出力の電源の出力電圧が入力されたときに、該電源入力部に割当てられたレベルの換気量で換気を行なう換気装置と接続可能な第１の換気装置接続手段と、使用者の操作に応じて前記換気装置の運転／停止を指示する運転スイッチと、使用者の操作に応じて前記換気装置の換気量を前記複数レベルの中から選択する換気量選択スイッチと、該運転スイッチの運転／停止指示に応じて作動するランプとを有する操作スイッチと接続可能な操作スイッチ接続手段と、所定の空調運転条件に応じて、前記換気装置を前記複数レベルの換気量のうちのいずれで作動させるかを決定する空調制御手段とを備えた空調装置に関する。
【０００８】
そして、前記操作スイッチにおいて、前記運転スイッチは運転／停止指示に応じて端子間がそれぞれ導通／遮断される２端子スイッチであり、前記換気量選択スイッチは共通端子と前記複数レベルの換気量が別個に割当てられた選択端子とを有して、選択されたレベルの換気量が割当てられた選択端子と前記共通端子間のみが導通状態となる選択スイッチであり、前記第１の換気装置接続手段は、前記換気装置と接続されたときに、前記複数レベルの各換気量について、前記各電流検出手段の検出結果から前記換気量選択スイッチにより該換気量が選択されたことが検知されたとき、又は前記空調制御手段により前記換気装置を該換気量で作動させることが決定されたときに、前記換気装置の該換気量に割当てられた電源入力部に前記電源の出力電圧を入力する。
【０００９】
そして、本発明の第１の態様は、前記操作スイッチにおいて、前記ランプが前記運転スイッチと並列に接続されて前記運転スイッチの運転／停止指示に応じてそれぞれ消灯／点灯し、前記操作スイッチ接続手段は、前記操作スイッチと接続されたときに、前記運転スイッチの第２の端子を前記電源の一方の出力端子に導通し、前記換気量選択スイッチの各選択端子を電流検出手段を介して前記電源の他の出力端子に導通することを特徴とする。
【００１０】
かかる本発明によれば、前記操作スイッチ接続手段と前記操作スイッチとが接続されると、前記運転スイッチの第２の端子が前記電源の一方の出力端子に導通され、前記換気量選択スイッチの各選択端子が前記電流検出手段を介して前記電源の他の出力端子に導通される。
【００１１】
そして、前記運転スイッチの第１の端子と前記換気量選択スイッチの共通端子が接続されているため、停止指示により前記運転スイッチの端子間が遮断されると、前記電源の一方の出力端子から前記ランプ、前記換気量選択スイッチ、及び前記電流検出手段を介して前記電源の他の出力端子に電流が流れて前記ランプが点灯する。一方、運転指示により前記運転スイッチの端子間が導通すると、前記ランプの端子間が同電位となって電流が流れなくなるため前記ランプが消灯すると共に、前記ランプの抵抗分がなくなるため、前記電流検出手段により検出される電流量が増加する。
【００１２】
そのため、前記第１の換気装置接続手段は、前記各電流検出手段の検出電流の変化から、前記運転スイッチにより運転指示がなされたことと、前記換気量選択スイッチにより前記複数のレベルのうちのどの換気量が選択されたのかを検知することができる。そして、前記第１の換気装置接続手段は、選択されたレベルの換気量が割当てられた前記換気装置の電源入力部に、前記電源の出力電圧を入力することにより、該選択されたレベルの換気量で前記換気装置を作動させることができる。
【００１３】
また、本発明の第２の態様は、前記操作スイッチにおいて、前記ランプが前記運転スイッチの運転／停止指示に応じてそれぞれ点灯／消灯し、前記ランプの第１の端子が前記運転スイッチの第２の端子に接続され、前記操作スイッチ接続手段は、前記操作スイッチと接続されたときに、前記ランプの第２の端子を前記電源の一方の出力端子に導通し、前記換気量選択スイッチの各選択端子を電流検出手段を介して前記電源の他方の出力端子に導通することを特徴とする。
【００１４】
かかる本発明によれば、前記操作スイッチ接続手段と前記操作スイッチとが接続されると、前記ランプの第２の端子が前記電源の一方の出力端子に導通され、前記換気量選択スイッチの各選択端子が前記電流検出手段を介して前記電源の他の出力端子に導通される。
【００１５】
そして、前記運転スイッチの第１の端子と前記換気量選択スイッチの共通端子が接続されているため、運転指示により前記運転スイッチの端子間が導通すると、前記電源の一方の出力端子から前記ランプ、前記運転スイッチ、前記換気量選択スイッチ、及び前記電流検出手段を介して前記電源の他方の出力端子に電流が流れて前記ランプが点灯すると共に、前記電流検出手段により電流が検出される。一方、停止指示により前記運転スイッチの端子間が遮断されると、前記ランプの第１の端子が前記電源の出力端子から遮断されて前記ランプに電流が流れなくなるため、前記ランプが消灯すると共に、前記電流検出手段により電流が検出されなくなる。
【００１６】
そのため、前記第１の換気装置接続手段は、前記電流検出手段による電流検出の有無に応じて、前記運転スイッチにより運転指示がなされたことと、前記換気量選択スイッチにより前記複数のレベルのうちのどの換気量が選択されたのかを検知することができる。そして、前記第１の換気装置接続手段は、選択されたレベルの換気量が割当てられた前記換気装置の電源入力部に、前記電源の出力電圧を入力することにより、該選択されたレベルの換気量で前記換気装置を作動させることができる。
【００１７】
また、前記第２の態様において、前記第１の換気装置接続手段は、前記電流検出手段の検出結果から前記複数レベルのうちのいずれかの換気量が選択されたことを検知したときに、該換気量が割当てられた前記換気量選択スイッチの選択端子と、前記電源の前記電流検出手段と導通された側の出力端子とを介して、前記換気装置の該換気量に割当てられた前記電源入力部に前記電源の出力電圧を入力することを特徴とする。
【００１８】
かかる本発明によれば、運転指示により前記運転スイッチの端子間が導通されると、前記電源の出力端子から、前記ランプ、前記運転スイッチ、及び前記換気量選択スイッチを介して、前記換気装置の前記換気量選択スイッチにより選択されたレベルの換気量が割当てられた前記電源入力部に前記換気装置の作動に必要な比較的大きな電流が流れ込む。そのため、前記電流検出手段の抵抗が大きく、前記電流検出手段を介して前記電源の出力端子に流れる電流によっては前記ランプの点灯に必要な電流量が確保できない場合であっても、前記換気装置の電源入力部に流れ込む電流により前記ランプを点灯させることができる。
【００１９】
また、本発明の第３の態様は、前記操作スイッチにおいて、前記ランプが前記運転スイッチの運転／停止指示に応じてそれぞれ点灯／消灯し、前記ランプの第１の端子が前記運転スイッチの第１の端子と前記換気量選択スイッチの共通端子とに接続され、前記スイッチ接続手段は、前記操作スイッチと接続されたときに、前記運転スイッチの第２の端子を前記電源の一方の出力端子に導通し、前記換気量選択スイッチの各選択端子を電流検出手段を介して前記電源の他方の出力端子に導通し、前記ランプの第２の端子を前記電源の他方の出力端子に導通することを特徴とする。
【００２０】
かかる本発明によれば、前記操作スイッチ接続手段と前記操作スイッチとが接続されると、前記運転スイッチの第２の端子が前記電源の一方の出力端子に導通され、前記ランプの第２の端子が前記電源の他方の出力端子に導通される。
【００２１】
そして、前記運転スイッチの第１の端子と前記ランプの第１の端子が接続され、前記運転スイッチの第１の端子が前記換気量選択スイッチの共通端子と接続されている。そのため、運転指示により前記運転スイッチの端子間が導通すると、前記電源の一方の出力端子から前記運転スイッチ及び前記ランプを介して前記電源の他方の出力端子に電流が流れて前記ランプが点灯すると共に、前記運転スイッチと前記換気量選択スイッチを介して前記電流検出手段に電流が流れて、前記電流検出手段により電流が検出される。
【００２２】
一方、停止指示により前記運転スイッチの端子間が遮断されると、前記ランプの第１の端子が前記電源の出力端子から遮断されて前記ランプに電流が流れなくなるため、前記ランプが消灯すると共に、前記電流検出手段により電流が検出されなくなる。
【００２３】
そのため、前記第１の換気装置接続手段は、前記電流検出手段による電流検出の有無に応じて、前記運転スイッチにより運転指示がなされたことと、前記換気量選択スイッチにより前記複数のレベルのうちのどの換気量が選択されたのかを検知することができる。そして、前記第１の換気装置接続手段は、選択されたレベルの換気量が割当てられた前記換気装置の電源入力部に、前記電源の出力電圧を入力することにより、該選択されたレベルの換気量で前記換気装置を作動させることができる。
【００２４】
また、前記第１の態様から前記第３の態様において、電源入力部に前記電源の出力電圧が入力されたときに所定の換気量で換気を行なう換気量固定の換気装置と接続可能であって、該換気量固定の換気装置と接続された状態で、前記各電流検出手段の検出結果から前記複数レベルの換気量のうちのいずれかが選択されたことが検知されたとき、又は前記空調制御手段により前記換気装置を前記複数レベルの換気量のうちのいずれかで作動させることが決定されたときに、該換気量固定の換気装置の電源入力部に前記電源の出力電圧を入力する第２の換気装置接続手段を備えたことを特徴とする。
【００２５】
かかる本発明によれば、上述した複数レベルの換気量で換気を行なう換気装置ではなく、換気量の変更が不能である換気量固定の換気装置を使用して換気を行なう場合に、前記第２の換気装置接続手段と前記換気装置とを接続することによって、前記操作スイッチ及び前記空調制御手段によりいずれのレベルの換気量が選択、決定された場合であっても、前記換気量固定の換気装置を作動させることができる。そのため、前記第２の換気装置接続手段を有しない場合に必要であった、前記第１の換気装置接続手段から前記複数レベルの換気量が割当てられた電源入力部に対して出力される前記電源の出力電圧の全てが前記換気量固定の換気装置の電源入力部に入力されるようにする処理が不要となる。
【００２６】
【発明の実施の形態】
本発明の実施の形態について、図１〜図５を参照して説明する。図１は本発明の第１の実施の形態における空調装置の構成図、図２は本発明の第２の実施の形態における空調装置の構成図、図３は本発明の第３の実施の形態における空調装置の構成図、図４は空調装置の他の構成例、図５はリレー内蔵式の換気ファンの構成図である。
【００２７】
先ず、図１を参照して、本発明の第１の実施の形態について説明する。図１において、空調装置１は、例えば浴室に設置されて浴室内の暖房、乾燥、換気等を行なう浴室暖房装置であり、商用電源２（本発明の２端子出力の電源に相当する。以下、単に電源２という）からの出力電力により作動し、リモコンケーブル３を介して接続されたリモコン４によって、暖房運転、乾燥運転、換気運転等の運転条件（本発明の空調運転条件に相当する）が設定される。
【００２８】
また、空調装置１は該空調装置１の換気口（図示しない）と連通されたダクト（図示しない）中に設けられた換気ファン１０（本発明の換気装置に相当する）と接続するための換気ファン接続端子５（５ａ〜５ｃ）と、脱衣所やトイレ等に設けられた操作スイッチ２０と接続するための操作スイッチ接続端子６（６ａ〜６ｃ）とを備える。
【００２９】
換気ファン１０は、強／弱２段階（本発明の複数レベルに相当する）に換気量を切換える機能を有し、外部端子１１（１１ａ〜１１ｃ）を介して空調装置１と接続される。そして、換気ファン１０は、外部端子１１ａと外部端子１１ｃ間に電源２の出力電圧が入力されたときに「強レベル」の換気量で作動し、外部端子１１ｂと外部端子１１ｃ間に電源２の出力電圧が入力されたときに「弱レベル」の換気量で作動する。なお、外部端子１１ａと１１ｃ、及び外部端子１１ｂと１１ｃにより、それぞれ本発明の換気量に対して別個に割当てられた電源入力部が構成される。
【００３０】
また、操作スイッチ２０は、使用者の操作に応じて換気ファン１０の運転指示と停止指示を行なうための運転スイッチ２２と、使用者の操作に応じて換気ファン１０の換気量（「強レベル」又は「弱レベル」）を選択するための換気量選択スイッチ２３と、運転スイッチ２２による運転指示／停止指示に応じてそれぞれ消灯／点灯するランプ２４（ほたるランプ）とを有し、外部端子２１（２１ａ〜２１ｃ）を介して空調装置１と接続される。
【００３１】
運転スイッチ２２は、運転指示／停止指示に応じて第１端子２２ａ（本発明の第１の端子に相当する）と第２端子２２ｂ（本発明の第２の端子に相当する）間がそれぞれ導通／遮断される２端子スイッチであり、換気量選択スイッチ２３は、「弱レベル」が選択されたときに共通端子２３ｃと第１選択端子２３ａ（本発明の選択端子に相当する）間のみが導通し、「強レベル」が選択されたときに共通端子２３ｃと第２選択端子２３ｂ（本発明の選択端子に相当する）間のみが導通する選択スイッチである。
【００３２】
そして、運転スイッチ２２の第１端子２２ａと換気量選択スイッチ２３の共通端子２３ｃとが接続され、運転スイッチ２２の第２端子２２ｂが外部端子２１ａに接続され、換気量選択スイッチ２３の第１選択端子２３ａが外部端子２１ｃに接続され、換気量選択スイッチ２３の第２選択端子２３ｂが外部端子２１ｂに接続されている。また、ランプ２４は運転スイッチ２２と並列に接続されている。
【００３３】
次に、空調装置１は、電源２からトランス３０を介して供給される電力により作動するコントローラ３１（本発明の空調制御手段の機能を含む）によって全体の作動が制御され、乾燥運転、換気運転等の浴室の排気が必要な運転モードが設定されたときに、換気ファン１０を「弱レベル」又は「強レベル」で作動させる。また、コントローラ３１は、操作スイッチ２０の操作状態を検知し、検知結果に応じて換気ファン１０を「弱レベル」又は「強レベル」により作動させる。
【００３４】
そして、操作スイッチ２０の操作状態を検知するため、空調装置１の操作スイッチ接続端子６ａは電源２の第１出力端子２ａに導通され、操作スイッチ接続端子６ｂは電流検出センサ３２（本発明の電流検出手段に相当する）を介して商用電源の第２出力端子２ｂに導通され、操作スイッチ接続端子６ｃは電流検出センサ３３（本発明の電流検出手段に相当する）を電源２の第２出力端子２ｂに導通されている。
【００３５】
これにより、運転スイッチ２２により運転指示がなされると、電源２の第１出力端子２ａが、導通状態となった運転スイッチ２２を介して換気量選択スイッチ２３の共通端子２３ｃまで導通する。
【００３６】
そして、換気量選択スイッチ２３により「弱レベル」が選択されたときは、換気量選択スイッチ２３の共通端子２３ｃと第１選択端子２３ａ間が導通状態となるため、換気量選択スイッチ２３の共通端子２３ｃが第１選択端子２３ａと電流検出センサ３３を介して電源２の第２出力端子２ｂに連通し、電流検出センサ３３がＯＮする。
【００３７】
一方、換気量選択スイッチ２３により「強レベル」が選択されたときには、換気量選択スイッチ２３の共通端子２３ｃと第２選択端子２３ｂ間が導通状態となるため、換気量選択スイッチ２３の共通端子２３ｃが第２選択端子２３ｂと電流検出センサ３２を介して電源２の第２出力端子２ｂに連通し、電流検出センサ３２がＯＮする。
【００３８】
そして、電流検出センサ３２と電流検出センサ３３のＯＮ／ＯＦＦ信号はコントローラ３１に入力され、コントローラ３１はこれらのＯＮ／ＯＦＦ信号により、操作スイッチ２０による運転指示／停止指示と換気量の選択状態を検知する。
【００３９】
ここで、運転スイッチ２２が運転指示状態にあるときは、ランプ２４の端子２４ａ，２４ｂ間が導通されて同電位となるため、ランプ２４には電流が流れずにランプ２４が消灯すると共に、電流検出センサ３２又は電流検出センサ３３がＯＮする。一方、運転スイッチ２２が停止指示状態にあるときには、ランプ２４に電流が流れてランプが点灯するが、ランプ２４の抵抗分により電流検出センサ３２又は電流検出センサ３３に流れる電流が減少するため、電流検出センサ３２及び電流検出センサ３３はＯＮしない。
【００４０】
これにより、使用者はランプ２４の点灯／消灯状態から、換気ファン１０の作動状態を視覚的に認識することができる。なお、電流検出センサ３２及び電流検出センサ３３には、例えば入力側の発光ダイオードに所定のＯＮ電流以上の電流が流れたときに出力側のフォトトランジスタがＯＮするフォトカプラや、ホール素子を用いることができる。
【００４１】
なお、操作スイッチ接続端子６（６ａ〜６ｂ）と電流検出センサ３２，３３とにより本発明の操作スイッチ接続手段が構成される。
【００４２】
また、空調装置１には、コントローラ３１から出力される制御信号に応じて開閉状態が切換わる４個のリレー３４〜３７が設けられている。そして、リレー３４の第１選択端子３４ａが操作スイッチ接続端子６ｃに接続され、リレー３４の第２選択端子３４ｂが操作スイッチ接続端子６ｂに接続され、リレー３４の共通端子３４ｃがリレー３５の第２選択端子３５ｂと接続され、リレー３５の第１選択端子３５ａが電源２の第１出力端子２ａに導通されている。
【００４３】
また、リレー３５の共通端子３５ｃがリレー３６の共通端子３６ｃに接続され、リレー３６の第１選択端子３６ａが換気ファン接続端子５ｂに接続され、リレー３６の第２選択端子３６ｂが換気ファン接続端子５ａに接続され、リレー３５の共通端子３５ｃがリレー３７の第１端子３７ａに接続され、リレー３７の第２端子３７ｂが換気ファン接続端子５ｄに接続されている。
【００４４】
そして、コントローラ３１は、電流検出センサ３２，３３のＯＮ／ＯＦＦ信号から、運転スイッチ２２が運転指示状態で換気量選択スイッチ２３により「弱レベル」が選択されていることを検知したときは、リレー３４の共通端子３４ｃを第１選択端子３４ａ側に導通し、リレー３５の共通端子３５ｃを第２選択端子３５ｂ側に導通し、リレー３６の共通端子３６ｃを第１端子３６ａ側に導通する。
【００４５】
これにより、電源２の第１出力端子２ａが、換気量選択スイッチ２３の第１選択端子２３ａから、リレー３４，３５，３６を介して換気ファン接続端子５ｂに導通し、換気ファン１０の外部端子１１ｂと１１ｃ間に電源２の出力電圧が入力されて、換気ファン１０が「弱レベル」の換気量で作動する。
【００４６】
また、電流検出センサ３２，３３のＯＮ／ＯＦＦ信号から、運転スイッチ２２が運転指示状態で換気量選択スイッチ２３により「強レベル」が選択されていることを検知したときには、コントローラ３１は、リレー３４の共通端子３４ｃを第２選択端子３４ｂ側に導通し、リレー３５の共通端子３５ｃを第２端子３５ｂ側に導通し、リレー３６の共通端子３６ｃを第２選択端子３６ｂ側に導通する。
【００４７】
これにより、電源２の第１出力端子２ａが、換気量選択スイッチ２３の第２選択端子２３ｂから、リレー３４，３５，３６を介して換気ファン接続端子５ａに導通し、換気ファン１０の外部端子１１ａと１１ｃ間に電源２の出力電圧が入力されて、換気ファン１０が「強レベル」の換気量で作動する。
【００４８】
また、コントローラ３１は、運転スイッチ２２が停止指示状態であるときに、リモコン４により設定された運転条件に応じて、換気ファン１０を「弱レベル」で作動させることを決定したときは、リレー３５の共通端子３５ｃを第１選択端子３５ａ側に導通し、リレー３６の共通端子３６ｃを第１選択端子３６ａ側に導通する。これにより、電源２の第１出力端子２ａが、リレー３５の第１選択端子３５ａからリレー３６を介して換気ファン接続端子５ｂに導通し、換気ファン１０の外部端子１１ｂと１１ｃ間に電源２の出力電圧が入力されて、換気ファン１０が「弱レベル」の換気量で作動する。
【００４９】
また、コントローラ３１は、運転スイッチ２２が停止指示状態であるときに、リモコン４により設定された運転条件に応じて、換気ファン１０を「強レベル」で作動させることを決定したときには、リレー３５の共通端子３５ｃを第１選択端子３５ａ側に連通し、リレー３６の共通端子３６ｃを第２選択端子３６ｂ側に導通する。これにより、電源２の第１出力端子２ａが、リレー３５の第１選択端子３５ａからリレー３６を介して換気ファン接続端子５ａに導通し、換気ファン１０の外部端子１１ａと１１ｃ間に電源２の出力電圧が入力されて、換気ファン１０が「強レベル」の換気量で作動する。
【００５０】
なお、コントローラ３１、リレー３４〜３６、及び換気ファン接続端子５ａ〜５ｃにより本発明の第１の換気装置接続手段が構成される。
【００５１】
また、リレー３７と換気ファン接続端子５ｄは、電源入力部４１（４１ａ，４１ｂ）に電源２の出力電圧が入力されたときに所定の換気量で作動する換気量固定の換気ファン４０との接続を容易にするために設けられたものである。コントローラ３１は、操作スイッチ２０により「弱レベル」又は「強レベル」での運転指示がなされたとき、又は、リモコン４により設定された運転条件に応じて「弱レベル」又は「強レベル」で換気ファン１０を作動させることを決定したときに、リレー３４〜リレー３６を上述したように作動させると共に、リレー３７を導通状態とする。
【００５２】
これにより、電源２の第１出力端子２ａがリレー３５の共通端子３５ｃからリレー３７を介して換気ファン接続端子５ｄに連通し、換気ファン接続端子５ｄ，５ｃ間に電源２の出力電圧が入力される。そのため、空調装置１と換気量固定の換気ファン４０とを組み合わせて使用する場合に、設置作業者は、空調装置１の換気ファン接続端子５ｄと５ｃをそれぞれ換気量固定の換気装置４０の外部端子４１ａ，４１ｂに接続することにより、空調装置１と換気ファン１０を容易に接続することができる。
【００５３】
なお、コントローラ３１、リレー３４，３５，３７、及び換気ファン接続端子５ｄ，５ｃにより本発明の第２の換気装置接続手段が構成される。
【００５４】
また、リレー３７と換気ファン接続端子５ｄが設けられていない場合に、空調装置１と換気量固定の換気ファン４０を組み合わせて使用するときには、設置作業者は、換気ファン接続端子５ａと５ｂの双方を換気量固定の換気装置４０の外部端子４１ａに接続する必要があるため、作業工数が増えると共に配線ミスが生じる可能性も高くなる。
【００５５】
また、リレー３７と換気ファン接続端子５ｄを設けることにより、図５に示したリレー内蔵式の換気ファン８０との接続も容易に行なうことができる。図５に示した換気ファン８０は、空調装置１と接続するための外部端子８１（８１ａ〜８１ｃ）、リレー８２、及びファンモータ８３を備えている。
【００５６】
そして、ファンモータ８３は、共通端子８３ｃと第１選択端子８３ａ間に電源２の出力電圧が入力されたときは「弱レベル」で作動し、共通端子８３ｃと第２選択端子８３ｂ間に電源２の出力電圧が入力されたときには「強レベル」で作動する。また、リレー８２は、コイル８４に通電されたときは接点８５の共通端子８５ｃと第１選択端子８５ａ間が導通し、コイル８４に電源２に通電されていないときには接点８５の共通接点８５ｃと第２選択端子８５ｂ間が導通する。
【００５７】
そのため、空調装置１の換気ファン接続端子５ｂを換気ファン８０の外部端子８１ａに接続し、空調装置１の換気ファン接続端子５ｄを換気ファン８０の外部端子８１ｂに接続し、空調装置１の換気ファン接続端子５ｃを換気ファン８０の外部端子８１ｃに接続することによって、コントローラ３１により決定された換気量（「強レベル」又は「弱レベル」）に応じて、換気ファン８０の換気量を切換えることができる。
【００５８】
すなわち、先ず、操作スイッチ２０により「弱レベル」又は「強レベル」での運転指示がなされたとき、又は、運転条件に応じて「弱レベル」又は「強レベル」で換気ファン１０を作動させることを決定したときに、リレー３７及び換気ファン接続端子５ｄを介して、換気ファン８０の外部端子８１ｂが電源２の第１出力端子２ａと導通される。
【００５９】
そして、コントローラ３１が「弱レベル」での換気を行なうことを決定したときは、換気ファン接続端子５ｂを介して換気ファン１０の外部端子８１ａが電源２の第１出力端子２ａと導通されるため、リレー８２のコイル８４に通電されてリレー８２の接点８５の共通端子８５ｃと第１選択端子８５ａ間が導通し、ファンモータ８３の共通端子８３ｃと第１選択端子８３ａ間に電源２の出力電圧が入力されてファンモータ８３は「弱レベル」で作動する。
【００６０】
一方、コントローラ３１が「強レベル」での換気を行なうことを決定したときには、換気ファン接続端子５ｂは電源２の第１出力端子２ａから遮断されるため、換気ファン８０の外部端子８１ａは電源２の第１出力端子２ａから遮断されてリレー８２のコイル８４には通電されない。したがって、リレー８２の接点８５の共通端子８５ｃと第２の選択端子８５ｂ間が導通し、ファンモータ８３の共通端子８３ｃと第２選択端子８３ｂ間に電源２の出力電圧が印加されてファンモータ８３は「強レベル」で作動する。
【００６１】
また、コントローラ３１は、運転条件により決定された換気量と、操作スイッチ２０により選択された換気量が異なる場合には、操作スイッチ２０により選択された換気量の方を優先して、換気ファン１０の換気量を制御する。さらに、運転スイッチ２２が運転指示状態にあり、且つ、リモコン４により換気運転を伴う運転の開始指示がなされたときには、コントローラ３１は、運転スイッチ２２による指示の方を優先してリレー３５の共通端子３５ｃと第２選択端子３５ｂ間を導通状態とし、操作スイッチ２０を介して換気ファン１０に作動用電力を供給するようにしている。
【００６２】
ここで、リレー３４，３５，３６は、駆動コイル（図示しない）に通電されたときに共通端子（ｃ）と第１選択端子（ａ）間が導通し、駆動コイルへの通電が遮断されたときに共通端子（ｃ）と第２選択端子（ｂ）間が導通する仕様となっている。
【００６３】
そのため、換気量選択スイッチ２３を備えずに運転スイッチ２２の第１端子２２ａが外部端子２１ｂに接続された操作スイッチと接続して、該操作スイッチの操作に応じて換気ファン１０を「強レベル」固定で作動させる場合、運転スイッチ２２が運転指示状態となって第１端子２２ａと第２端子２２ｂ間が導通すると、リレ−３４，３５，３６を介して換気ファン接続端子５ａが電源２の第１出力端子２ａに導通される。したがって、コントローラ３１は、リレー３４，３５，３６の駆動コイルに通電する必要がなく、消費電力を節約することができる。さらに、リレー３４，３５，３６の開閉動作が抑制されるため、リレー３４，３５，３６の寿命を延ばすことができる。
【００６４】
また、換気量選択スイッチ２３を備えずに運転スイッチ２２の第１端子２２ａが外部端子２１ｂに接続された操作スイッチと接続して、該操作スイッチの操作に応じて換気ファン１０を「弱レベル」固定で作動させる場合には、該操作スイッチの外部端子２１ｂを操作スイッチ接続端子６ｃに接続し、リレー３４，３６を、駆動コイル（図示しない）に通電されたときに共通端子（ｃ）と第２選択端子（ｂ）間が導通し、駆動コイルへの通電が遮断されたときに共通端子（ｃ）と第１選択端子（ａ）間が導通する仕様とすればよい。
【００６５】
次に、図２を参照して、本発明の第２の実施の形態について説明する。なお、図１に示した上記第１の実施の形態と同一の構成については、同一の符号を付して説明を省略する。
【００６６】
図２に示した空調装置１及び換気ファン１０の構成は図１と同様であり、空調装置１のコントローラ３１の作動は図１に示したコントローラ３１と同様である。そして、操作スイッチ５０の構成のみが相違する。すなわち、操作スイッチ５０においては、運転スイッチ２２の第２端子２２ｂがランプ５２（パイロットランプ）の第１端子５２ａ（本発明の第１の端子に相当する）に接続され、ランプ５２の第２端子５２ｂ（本発明の第２の端子に相当する）が外部端子５１ａに接続されている。
【００６７】
そのため、運転スイッチ２２により運転指示がなされて運転スイッチ２２の第１端子２２ａと第２端子２２ｂ間が導通すると、電源２の第１出力端子２ａが、ランプ５２、運転スイッチ２２、換気量選択スイッチ２３、リレー３４，３５，３６を介して換気ファン１０の外部端子１１ｂ（「弱レベル」が選択されたとき）又は外部端子１１ａ（「強レベル」が選択されたとき）に導通する。そして、換気ファン１０の外部端子１１ｃが空調装置１の換気ファン接続端子５ｃを介して電源２の第２出力端子２ｂと導通しているため、電源２の第１出力端子２ａからランプ５２を介して換気ファン１０に供給されて電源２の第２出力端子２ｂに戻る電流によりランプ５２が点灯する。
【００６８】
この場合、ランプ５２を介して換気ファン１０に電源が供給されるため、ランプ５２には比較的大きな電流が流れる。そのため、ランプ２２が点灯にある程度大きな電流を流す必要がある高負荷タイプのランプであっても、ランプ２２を点灯させることができる。
【００６９】
一方、運転スイッチ２２により停止指示がなされて運転スイッチ２２の第１端子２２ａと２２ｂ間が遮断されると、ランプ５２に電流が流れなくなるためランプ５２は消灯する。これにより、使用者はランプ５２の点灯／消灯状態から、換気ファン１０の作動状態を視覚的に認識することができる。
【００７０】
なお、ランプ５２が低負荷作動タイプであり、電流検出センサ３２，３３に流れる電流により点灯可能である場合には、リレー３４を設けずにリレー３５の第２選択端子３５ｂを開放状態とし、換気ファン１０を作動させるときにリレー３５の共通端子３５ｃを第１選択端子３５ａ側に連通するようにしてもよい。
【００７１】
次に、図３を参照して、本発明の第３の実施の形態について説明する。なお、図１に示した上記第１の実施の態様と同一の構成については、同一の符号を付して説明を省略する。
【００７２】
図３に示した空調装置１００は、操作スイッチ接続端子６１ｄが設けられて、該接続端子６１ｄが電源２の第２出力端子２ｂと接続されている点のみが、図１に示した空調装置１と異なり、コントローラ３１の作動は空調装置１と同様である。また、本第３の実施の形態の操作スイッチ６０は、外部端子６１ａ〜６１ｄを介して空調装置１００と接続され、運転スイッチ２２の第１端子２２ａと換気量選択スイッチ２３の共通端子２３ｃとがランプ６２の第１端子６２ａ（本発明の第１の端子に相当する）に接続され、ランプ６２の第２端子６２ｂ（本発明の第２の端子に相当する）が外部端子６１ｄに接続されている。
【００７３】
そのため、運転スイッチ２２により運転指示がなされて運転スイッチ２２の第１端子２２ａと第２端子２２ｂ間が導通すると、電源２の第１出力端子２ａが、運転スイッチ２２とランプ６２を介して電源２の第２出力端子２ｂに導通して、ランプ６２が点灯する。
【００７４】
一方、運転スイッチ２２により停止指示がなされて運転スイッチ２２の第１端子２２ａと２２ｂ間が遮断されると、ランプ６２に電流が流れなくなるためランプ６２は消灯する。これにより、使用者はランプ６２の点灯／消灯状態から、換気ファン１０の作動状態を視覚的に認識することができる。
【００７５】
なお、本発明の空調装置１の構成は図１〜図３に示した構成に限られず、例えば、図４に示したように構成してもよい。
【００７６】
図４に示した空調装置７０は、リレー３８を備え、リレー３５の第１端子３５ａが開放されている点が図１に示した空調装置１と相違する。そして、コントローラ７１は、リモコン４により設定された運転条件に応じて換気ファン１０を作動させるときはリレー３８の第１端子３８ａと第２端子３８ｂ間を導通し、操作スイッチ２０の指示により換気ファン１０を作動させるときにはリレー３８の第１端子３８ａと第２端子３８ｂ間を遮断する。なお、他のリレー３４〜３７については、コントローラ７１はコントローラ３１と同様の切換え処理を行なう。
【００７７】
また、本実施の形態では、換気量固定の換気装置４０との接続を容易にするための構成（換気ファン接続端子５ｄ及びリレー３７）を備えた空調装置を示したが、該構成を備えない場合であっても本発明の効果を得ることができる。
【００７８】
また、本実施の形態では、「弱レベル」と「強レベル」という２レベルに換気量を変更する操作スイッチ及び換気装置と組合わせて使用される空調装置を示したが、３レベル以上に換気量を切換える場合であっても、本発明の適用が可能である。
【図面の簡単な説明】
【図１】本発明の第１の実施の形態における空調装置の構成図。
【図２】本発明の第２の実施の形態における空調装置の構成図。
【図３】本発明の第３の実施の形態における空調装置の構成図。
【図４】空調装置の他の構成例。
【図５】リレー内蔵式の換気ファンの構成図。
【符号の説明】
１…空調装置、２…商用電源、１０…換気ファン、２０…操作スイッチ、２２…運転スイッチ、２３…換気量選択スイッチ、２４，５２，６２…ランプ、３１…コントローラ、３２，３３…電流検出手段、３４，３５，３６，３７，３８…リレー
【図１】
0003704488.tif 000002
【図２】
0003704488.tif 000003
【図３】
0003704488.tif 000004
【図４】
0003704488.tif 000005
【図５】
0003704488.tif 000006